(57)【要約】      （修正有）【課題】自由に文字などをあらわすようにしたズボン用ベルトを提供する。【解決手段】再生ポリエステル繊維を含むポリエステル繊維の織布により形成されるベルト主体２に留め具３が設けられ、ベルト主体２の表平面、裏平面に文字、数字や図柄を表す為の第一の昇華転写染色層４、第二の昇華転写染色層５が形成されている。さらにベルト主体２の縁面に第三の昇華転写染色層６が形成されている。転写紙を利用して昇華転写することで、文字、数字や図柄を自由にあらわすことができる。また、第一の昇華転写染色層４又は第二の昇華転写染色層５を外側にあらわすことにより、１本のズボン用ベルト１であっても時間、場所などに対応して切り替えて装着することができる。【選択図】図１
0003159415.tif 000002
【実用新案登録請求の範囲】
【請求項１】
合成樹脂繊維の織布により形成されるベルト主体に留め具を設けたズボン用ベルトにおいて、前記ベルト主体に文字、数字や図柄を表す為の昇華転写染色層が形成されていることを特徴とするズボン用ベルト。
【請求項２】
前記昇華転写染色層は前記ベルト主体の表平面及び裏平面に形成されることを特徴とする請求項１記載のズボン用ベルト。
【請求項３】
前記繊維は、ポリエステル繊維であることを特徴とする請求項２記載のズボン用ベルト。
【請求項４】
前記ポリエステル繊維は、再生ポリエステル繊維を含むことを特徴とする請求項３記載のズボン用ベルト。
【請求項５】
前記昇華転写染色層は前記ベルト主体の平面及び縁面に形成されることを特徴とする請求項４記載のズボン用ベルト。
【考案の詳細な説明】
【技術分野】
【０００１】
本考案は、ズボンの腰ベルトやズボン吊りのベルトなどのズボン用ベルトに関するものである。
【背景技術】
【０００２】
従来、この種のものとして、扁平なベルト主体に留め具を設けた腰ベルトにおいて、再生したポリエステルなどの再生プラスチックの織布によりベルト主体を形成したものが知られている（例えば特許文献１）。このような織布は、糸が例えば黒や紺色に染色されてベルト主体は無地に形成されていた。
【先行技術文献】
【特許文献】
【０００３】
【特許文献１】実用新案登録第３１５１８８１号公報
【考案の概要】
【考案が解決しようとする課題】
【０００４】
しかし、従来技術においては染色した糸を織って文字、数字や図柄を表すようにしていたので、自由に文字などを表すことが困難であった。しかも、ベルト主体の縁面まで文字などを自由に設けるようなことはできなかった。
【０００５】
解決しようとする問題点は、合成樹脂繊維の織布により形成されるベルト主体に、自由に文字などをあらわすようにしたズボン用ベルトを提供することである。また、再生材料を利用して環境に優しいズボン用ベルトを提供することである。
【課題を解決するための手段】
【０００６】
請求項１の考案は、合成樹脂繊維の織布により形成されるベルト主体に留め具を設けたズボン用ベルトにおいて、前記ベルト主体に文字、数字や図柄を表す為の昇華転写染色層が形成されていることを特徴とするズボン用ベルトである。
【０００７】
請求項２の考案においては、前記昇華転写染色層は前記ベルト主体の表平面及び裏平面に形成されることを特徴とする請求項１記載のズボン用ベルトである。
【０００８】
請求項３の考案においては、前記繊維は、ポリエステル繊維であることを特徴とする請求項２記載のズボン用ベルトである。
【０００９】
請求項４の考案においては、前記ポリエステル繊維は、再生ポリエステル繊維を含むものであることを特徴とする請求項３記載のズボン用ベルトである。
【００１０】
請求項５の考案においては、前記昇華転写染色層は前記ベルト主体の平面及び縁面に形成されることを特徴とする請求項４記載のズボン用ベルトである。
【考案の効果】
【００１１】
請求項１の考案によれば、染色した糸を織って文字などをあらわすものに比較して、昇華転写染色層では文字、数字や図柄を自由にあらわすことができる。
【００１２】
請求項２の考案によれば、昇華転写染色層はベルト主体の表平面、裏平面に形成されることにより、１本のベルトであっても時間、場所などに対応して切り替えて装着することができる。
【００１３】
請求項３の考案によれば、ベルト主体はその強度を高めると共に、比較的安価に提供できる。
【００１４】
請求項４の考案によれば、原料のリサイクルにより環境に優しくなる。
【００１５】
請求項５の考案によれば、平面の他にさらに縁面にも昇華転写染色層が形成されているので、隅々まで染色されたベルトを提供することができる。
【図面の簡単な説明】
【００１６】
【図１】本考案の第１実施例を示す斜視図である。
【図２】同一部を拡大した断面図である。
【図３】本考案の第２実施例を示す斜視図である。
【図４】同断面図である。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜図２は実施例１を示しており、腰に巻きつけるズボン用ベルト１は、合成樹脂繊維の糸を織った織布により形成された扁平形状のベルト主体２の基端にバックルなどの留め具３が着脱自在に設けられており、ベルト主体２の先端を留め具３で留めることができるようになっている。ベルト主体２は合成樹脂繊維の織布により形成されるもので、再生ポリエステル繊維を含む糸２Ｆによって形成されている。ポリエステル繊維は、ポリエステル繊維は再生ポリエステル繊維が一部の場合、全部の場合を含む。
【００１９】
そして、ベルト主体２の表平面２Ａとその裏平面２Ｂ、ベルト主体２の上下の縁面２Ｃに、文字、数字や図柄を表す為の第一の昇華転写染色層４、第二の昇華転写染色層５及び第三の昇華転写染色層６が設けられている。昇華転写は、例えば分散染料の昇華染色性を利用した気相染色法であって、分散染料インクを使って印刷した転写紙７をベルト主体２と重ね合わせて熱処理することにより、気化したインクがベルト主体２側に浸透して染色するものであり、実施例のような場合には、表平面２Ａ側と裏平面２Ｂ側のそれぞれの転写紙７にベルト主体２を別々に或いは同時に重ね合わせて熱処理するものであり、この際、ベルト主体２の第一の幅Ａよりも転写紙７の第二の幅Ｂを大きくして、加熱挟圧においてはベルト主体２の左右の縁面２Ｃよりも転写紙７の両縁がはみ出て、表平面２Ａに第一の昇華転写染色層４、裏平面２Ｂに第二の昇華転写染色層５、さらに縁面２Ｃに第三の昇華転写染色層６が形成されるようになっている。尚、第一の昇華転写染色層４と第二の昇華転写染色層５とは異なる文字、図形や図柄があらわされており、いわゆるリバーシブルとなって留め具３の向きを変えることでいずれかの面を外側にあらわして使用できるようになっている。
【００２０】
そして、ズボン８の腰回りにベルト主体２を回し、そしてベルト主体２の先端を留め具３により留めてズボン８を固定できるようになっている。
【００２１】
以上のように、前記実施例では請求項１に対応して、合成樹脂繊維の織布により形成されるベルト主体２に留め具３を設け、ベルト主体２の表平面２Ａ、裏平面２Ｂに文字、数字や図柄を表す為の第一の昇華転写染色層４、第二の昇華転写染色層５が形成されていることにより、染色した糸を織って文字などをあらわすものに比較して、転写紙７を利用して昇華転写することで、文字、数字や図柄を自由にあらわすことができる。
【００２２】
さらに前記実施例では請求項２に対応して、第一の昇華転写染色層４、第二の昇華転写染色層５はベルト主体２の表平面２Ａ、裏平面２Ｂの両側に形成されることにより、表平面２Ａ、裏平面２Ｂのいずれかの文字、数字や図柄を外側にあらわすことができ、１本のズボン用ベルト１であっても時間、場所などに対応して切り替えて装着することができる。
【００２３】
また、前記実施例では請求項３に対応して、ベルト主体２の合成樹脂繊維は、比較的安価で強度も比較的高いポリエステルを利用することで、強度を確保すると共に、比較的安価に提供できる。
【００２４】
さらに、前記実施例では請求項４に対応して、前記ポリエステル繊維は、再生ポリエステル繊維を含む糸２Ｆを有するものであるので、原料のリサイクルにより環境に優しいズボン用ベルト１を提供することができる。
【００２５】
しかも、前記実施例では請求項５に対応して、ベルト主体２の表平面２Ａ、裏平面２Ｂに第一の昇華転写染色層４、第二の昇華転写染色層５が形成され、さらにベルト主体２の上下の縁面２Ｃに第三の昇華転写染色層６が形成されることで、ベルト主体２の表平面２Ａ、裏平面２Ｂのいずれかを時間、場所或いは環境に応じて外側にあらわして使用でき、しかも、第三の昇華転写染色層６が形成されることで縁面２Ｃをも加飾などすることができる。
【実施例２】
【００２６】
図３〜図４に示す実施例２は前記実施例１と同一部分には同一符号を付し、その詳細な説明を省略する。実施例２においては、両肩に掛けてズボン８を吊るすズボン用ベルト９であって、ベルト主体２´の下端にクリップなどの留め具３´が接続している。そして、ベルト主体２´の表平面２Ａ、裏平面２Ｂ及び縁面２Ｃにそれぞれ実施例１と同様に第一の昇華転写染色層４´、第二の昇華転写染色層５´、第三の昇華転写染色層６´が設けられている。
【００２７】
したがって、ベルト主体２´に文字、数字や図柄を自由にあらわすことができる。
【産業上の利用可能性】
【００２８】
以上のように本考案にかかるズボン用ベルトは、各種の用途に適用できる。
【符号の説明】
【００２９】
２  ２´  ベルト主体
２Ａ  表平面
２Ｂ  裏平面
２Ｃ  縁面
２Ｆ  再生ポリエステル繊維
３  ３´  留め具
４  ４´  第一の昇華転写染色層
５  ５´  第二の昇華転写染色層
６  ６´  第三の昇華転写染色層
【図１】
0003159415.tif 000003
【図２】
0003159415.tif 000004
【図３】
0003159415.tif 000005
【図４】
0003159415.tif 000006